(57)【要約】【課題】感光材料に対して吹き付けられる温風の温度を精度良く検知して、乾燥処理の効率化を図ることが可能な乾燥装置を提供する。【解決手段】写真プリントシステム１に搭載された乾燥部６０では、熱源部７０と、サーミスタ７１と、送風ダクト７２と、搬送機構（圧接搬送ローラ対６１、ターンローラ対６２、搬出ローラ対６４）と、温風ノズル７３と、を有している。サーミスタ７１は、印画紙Ｐを搬送する搬送経路ａの最上流側において、印画紙Ｐを搬送する搬送経路ａと送風ダクト７２との間であって搬送経路ａに対して近接する位置に配置されている。【選択図】図３
2007206514.tif 000002
【特許請求の範囲】
【請求項１】
感光材料を搬送しながら乾燥処理を行なう乾燥装置であって、
周囲の空気を加熱する熱源部と、
前記熱源部において加熱された前記空気を送風する送風部と、
前記感光材料を所定の搬送経路に沿って搬送する搬送機構と、
前記送風部において送風される加熱された前記空気を前記搬送経路に沿って搬送される前記感光材料に対して吹き付ける吹き出し部と、
前記感光材料を搬送する前記搬送経路の最上流側において、前記搬送経路と前記吹き出し部との間であって前記搬送経路に対して近接して配置されている温度検知部と、
を備えている乾燥装置。
【請求項２】
前記搬送機構は、複数の搬送ローラを有しており、
前記温度検知部は、前記搬送ローラのうち前記感光材料が搬送される前記搬送経路の前記最上流側に設置された前記搬送ローラの直上流側に配置されている、
請求項１に記載の乾燥装置。
【発明の詳細な説明】
【技術分野】
【０００１】
本発明は、例えば、写真処理装置に搭載されており、感光材料に対して乾燥処理を行なう乾燥装置に関する。
【背景技術】
【０００２】
一般的に、画像データに基づいて、現像処理液等の処理液を使用して感光材料に対して現像処理を行なう写真処理装置の中には、現像処理された感光材料に対して乾燥処理を行なう乾燥装置を搭載したものがある。
このような乾燥装置では、感光材料を所定の搬送経路に沿って搬送しつつ感光材料に対して温風等を吹き付けて乾燥処理を行なう。そして、この感光材料に対する乾燥処理では、感光材料が温風等によって加熱されて乾燥が始まるまでの区間、いわゆる予熱区間が形成される。そして、この予熱区間において、温風の温度を感光材料の乾燥処理に適した温度に調節することは、感光材料に対して乾燥処理を行なう上で重要な課題であった。
【０００３】
例えば、特許文献１には、乾燥装置において、熱源部に近接配置された温度検知部によって付近温度を検知して、熱源部の作動状態を制御するものが開示されている。
【特許文献１】特開昭６２−２７３５４０号公報（昭和６２年１１月２７日公開）
【発明の開示】
【発明が解決しようとする課題】
【０００４】
しかしながら、上記従来の乾燥装置では、以下に示すような問題点を有している。
すなわち、上記公報に開示された乾燥装置では、熱源から感光材料を搬送する搬送経路に到達するまでの間に、実際に感光材料に対して吹き付けられる温風の温度は、熱源部に近接配置された温度検知部によって検知される温風の温度よりも低くなってしまう。その結果、温度検知部によって実際に感光材料に対して吹き付けられる温風の温度を精度良く検知することができないため、感光材料に対する乾燥処理の効率化を図る上で問題であった。
【０００５】
そこで、本発明の課題は、感光材料に対して吹き付けられる温風の温度を精度良く検知して、乾燥処理の効率化を図ることが可能な乾燥装置を提供することにある。
【課題を解決するための手段】
【０００６】
第１の発明に係る乾燥装置は、感光材料を搬送しながら乾燥処理を行なう乾燥装置であって、熱源部と、送風部と、搬送機構と、吹き出し部と、温度検知部と、を備えている。熱源部は、周囲の空気を加熱する。送風部は、熱源部において加熱された空気を送風する。搬送機構は、感光材料を所定の搬送経路に沿って搬送する。吹き出し部は、送風部において送風される加熱された空気を搬送経路に沿って搬送される感光材料に対して吹き付ける。温度検知部は、感光材料を搬送する搬送経路の最上流側において、搬送経路と吹き出し部との間であって搬送経路に対して近接して配置されている。
【０００７】
ここでは、温度検知部は、感光材料を搬送する搬送経路の最上流側において搬送経路と吹き出し部との間であって搬送経路に対して近接して配置されている。
このような感光材料を搬送しながら乾燥処理を行なう乾燥装置において、感光材料に対して加熱された空気（以下、温風）を吹き付けて乾燥処理を行なう。感光材料を搬送する搬送経路の最上流側に形成される予熱区間において、温風の温度を適切に調節することが要求される。そのため、乾燥装置の中には、温風の吹き出し部近傍に配置された温度検知部によって温風の温度を検知して温風の熱供給源である熱源部の温度制御を行なうものがある。
【０００８】
しかし、このような乾燥装置において、吹き出し部から吹き出された温風は感光材料の搬送経路に到達するまでに温度が低下する。その結果、温度検知部によって実際に感光材料に対して吹き付けられる温風の温度を精度良く検知することができないため、乾燥処理の効率化を図る上で問題であった。
そこで、本発明に係る乾燥装置では、温度検知部は、感光材料が搬送される搬送経路の最上流側（予熱区間）において感光材料の搬送経路と吹き出し部との間であって搬送経路に対して近接する位置に配置されている。
【０００９】
これにより、吹き出し部近傍に温度検知部を配置する場合よりも、感光材料の搬送経路に近い位置に温度検知部を配置して、吹き出し部から搬送経路に沿って搬送される感光材料に対して吹き付けられる温風の温度を検知する。
このため、吹き出し部近傍に温度検知部を配置する場合と比較して、感光材料に対して吹き付けられる温風の温度と、温度検知部が検知する温風の温度との差が少なくなる。このようにして、予熱区間において感光材料に対して吹き付けられる実際の温風の温度を、精度良く検知して乾燥処理に適した温度に制御することができる。
この結果、乾燥装置において、感光材料に対する乾燥処理の効率化を図ることができる。
【００１０】
第２の発明に係る乾燥装置は、第１の発明に係る乾燥装置であって、搬送機構は、複数の搬送ローラを有している。温度検知部は、搬送ローラのうち感光材料が搬送される搬送経路の最上流側に設置された搬送ローラの直上流側に配置されている。
ここでは、温度検知部は、感光材料が搬送される搬送経路の最上流側（予熱区間）に設置された搬送ローラの直上流側に配置されている。
【００１１】
これにより、予熱区間において、感光材料を搬送する搬送ローラの直上流側に吹き付けられる温風の温度を温度検知部によって検知することができる。
本発明に係る乾燥装置は、上記発明に係る乾燥装置であって、搬送経路に沿って搬送される感光材料に対して加熱された空気を吹き付ける吹き出し部を少なくとも１つ以上さらに備えている。熱源部は、複数の吹き出し部のうち、搬送経路の最上流側において搬送される感光材料に対して加熱された空気を吹き付ける吹き出し部に最も近くなるように配置されている。
【００１２】
ここでは、熱源部は、感光材料が搬送される搬送経路の最上流側（予熱区間）に対して加熱された空気（以下、温風）を吹き付ける吹き出し部（以下、予熱区間の吹き出し部）に最も近くなるように配置されている。
これにより、予熱区間の吹き出し部から離れた位置に熱源部が配置されている場合と比べて、熱源部から熱を供給された温風の温度が下がらないうちに予熱区間に沿って搬送される感光材料に対して温風を吹き付けることができる。そのため、感光材料に対して吹き付けられる温風の温度を、乾燥処理により適した温度に正確に調節することができる。
【００１３】
この結果、乾燥装置において、感光材料に対してさらに効率的な乾燥処理を行なうことができる。
【発明の効果】
【００１４】
第１の発明に係る乾燥装置によれば、感光材料に対する乾燥処理の効率化を図ることができる。
第２の発明に係る乾燥装置によれば、予熱区間において、感光材料を搬送する搬送ローラの直上流側に吹き付けられる温風の温度を温度検知部によって検知することができる。
【発明を実施するための最良の形態】
【００１５】
本発明の一実施形態に係る写真プリントシステム１について、図１〜図４を用いて説明すれば以下の通りである。
［写真プリントシステム１の構成］
本発明の一実施形態に係る写真プリントシステム１は、図１に示すように、いわゆるデジタルミニラボと呼ばれる写真プリントシステムである。
【００１６】
写真プリントシステム１は、操作部２０と、プリント部５０と、を備えている。
操作部２０は、現像された写真フィルムＦやデジタルカメラ等で撮影されたデジタル画像データが保存されたメモリカード等のメディアから画像データを取り込んでプリントデータを作成し、プリント部５０に対して送信する。
プリント部５０は、操作部２０から受信したプリントデータに基づいて、印画紙（感光材料）Ｐ（図２参照）に対して露光処理および現像処理を行って写真プリント画像や、セットアップ用テストプリントを形成する。
【００１７】
［操作部２０の構成］
操作部２０は、図１に示すように、モニタ２１と、キーボード２２と、マウス２３と、コンピュータユニット３０と、メディアリーダ３１と、フィルムスキャナ４０と、を有している。
コンピュータユニット３０は、モニタ２１、キーボード２２、マウス２３と接続されており、フィルムスキャナ４０およびプリント部５０に含まれる各部の動作や画像処理および画像データの入出力等の制御を行う。
【００１８】
モニタ２１には、各種制御のためのＧＵＩ（Ｇｒａｐｈｉｃａｌ  Ｕｓｅｒ  Ｉｎｔｅｒｆａｃｅ）や処理対象の画像が表示される。
メディアリーダ３１は、本写真プリントシステム１のコントローラとして機能するコンピュータユニット３０に搭載されており、デジタルカメラ等で撮影された画像のデジタルデータをメモリカードや各種半導体メモリ、ＣＤ−Ｒ等のメディアから取り込む。
【００１９】
フィルムスキャナ４０は、写真フィルムＦに現像された撮影コマに対応する画像をデジタル画像データとして取り込む。
［プリント部５０の構成］
プリント部５０は、図１に示すように、操作部２０から受信したプリントデータに基づいて、印画紙Ｐを搬送しながら印画紙Ｐに対して露光処理および現像処理を行って写真プリント画像を形成する。
【００２０】
プリント部５０は、図２に示すように、内部に２つの印画紙マガジン５１と、シートカッター５２と、バックプリント部５３と、プリント露光部５４と、圧接搬送ローラ対５７と、チャッカー式搬送ユニット５８と、処理槽ユニット５５と、乾燥部６０と、コンベア５６と、ソータ（図示せず）と、を有している。
２つの印画紙マガジン５１は、プリント部５０の内部においてロール状の印画紙Ｐを１個ずつ収納しており、圧接搬送ローラ対５７によって適宜必要な量の印画紙Ｐが引き出される。
【００２１】
シートカッター５２は、印画紙マガジン５１から印画紙Ｐを引き出す複数の圧接搬送ローラ対５７の下流側に配置されており、印画紙マガジン５１から引き出された印画紙Ｐを所望のサイズに切断する。
バックプリント部５３は、シートカッター５２の下流側に配置されており、プリントサイズ等所望のサイズに切断された印画紙Ｐの裏面側に、色補正情報やコマ番号等のプリント処理情報を印刷する。
【００２２】
プリント露光部５４は、バックプリント部５３の下流側におけるチャッカー式搬送ユニット５８に隣接するように配置されており、プリントサイズやテストプリントサイズに切断された印画紙Ｐの表面に対して、プリントする撮影画像の露光を行う。
処理槽ユニット５５は、プリント露光部５４の下流側における複数の圧接搬送ローラ対５７に隣接するように配置されており、発色現像処理液を貯留する発色現像槽５５ａ、漂白定着処理液を貯留する漂白定着槽５５ｂおよび安定処理液を貯留する安定処理槽５５ｃを有している。そして、露光後の印画紙Ｐが、これらの各処理槽５５ａ〜５５ｃをこの順で経由しながら搬送されることで、所望の写真プリント画像やセットアップ用テストプリント画像が印画紙Ｐの表面に形成される。
【００２３】
乾燥部６０は、処理槽ユニット５５の下流側に配置されており、現像処理された印画紙Ｐを乾燥させるために設けられている。なお、乾燥部６０の構成については後段にて詳述する。
コンベア５６は、プリント部５０の上部に露出しており、写真プリント画像が表面に形成されて乾燥処理後に排出された印画紙Ｐをソータの方向へ搬送する。
【００２４】
ソータは、プリント部５０の前面側に鉛直方向に複数のトレイを並べた状態で配置されており、コンベア５６によって搬送されるプリント済の印画紙Ｐを、例えば、オーダー単位で各トレイに振り分ける。
圧接搬送ローラ対５７と、チャッカー式搬送ユニット５８とは、プリント部５０の内部において、印画紙マガジン５１に収容されたロール状の印画紙Ｐを引き出すとともに、プリントサイズ等に切断された印画紙Ｐを、印画紙Ｐに対して行われる様々な処理に対応した搬送速度で搬送する。圧接搬送ローラ対５７は、２つのローラを組み合わせて構成されており、２つのローラの間の隙間に印画紙Ｐを圧接して回転することで印画紙Ｐを下流側へと搬送する。チャッカー式搬送ユニット５８は、プリントサイズ等に切断された印画紙Ｐの下流側（先端側）の端部を搬送方向における両側からつまむようにして搬送する。
【００２５】
（乾燥部６０の構成）
乾燥部６０は、現像処理された印画紙Ｐを上下方向に搬送しながら乾燥処理を行なう乾燥部である。そして、乾燥部６０は、図３および図４に示すように、圧接搬送ローラ対（搬送機構）６１と、ターンローラ対（搬送機構）６２と、搬送ガイド６３と、搬出ローラ対（搬送機構）６４と、熱源部７０と、サーミスタ（温度検知部）７１と、送風ダクト（送風部）７２と、温風ノズル（吹き出し部）７３と、制御部８０と、を有している。
【００２６】
圧接搬送ローラ対６１は、図４に示すように、それぞれ駆動ローラ（搬送ローラ）６１ａと当接ローラ（搬送ローラ）６１ｂとを組み合わせて構成されており、処理槽ユニット５５の直下流側の搬送経路ａに沿って３対配置されている。そして、圧接搬送ローラ対６１は、それぞれ２つのローラ（駆動ローラ６１ａ、当接ローラ６１ｂ）の間隙に印画紙Ｐを挟みこんで駆動ローラ６１ａを回転することで印画紙Ｐを垂直上方の下流側へと搬送する。
【００２７】
ターンローラ対６２は、図４に示すように、上流側から上方に向かって搬送されてくる印画紙Ｐを下方に向かって搬送させるように搬送方向を変化させるためのローラ群であり、駆動ローラ（搬送ローラ）６２ａと複数の従動ローラ（搬送ローラ）６２ｂとを含むように構成されている。
搬送ガイド６３は、図４に示すように、ターンローラ対６２の直下流側に配置されており、印画紙Ｐをターンローラ対６２から受け取って搬送方向を下向きから略水平方向に変更して搬送経路ａに沿って下流側へ搬送する。
【００２８】
搬出ローラ対６４は、図３に示すように搬送ガイド６３の直下流側の搬送経路ａに沿って配置されており印画紙Ｐをコンベア５６に排出するためのローラ対であり、図４に示すように、駆動ローラ（搬送ローラ）６４ａと従動ローラ（搬送ローラ）６４ｂとによって構成されている。また、搬出ローラ対６４は、２つのローラ（駆動ローラ６４ａ、従動ローラ６４ｂ）の間隙に印画紙Ｐを挟み込み、駆動ローラ６４ａを回転させることで印画紙Ｐを下流側の搬出口６５へ搬出する。そして、印画紙Ｐは、搬出口６５を通過してコンベア５６（図２参照）へ落下搬送される。
【００２９】
熱源部７０は、図３に示すように、乾燥部６０の下部側面部において送風ダクト７２（後段にて詳述）の内部に設置されており、複数の温風ノズル７３（後段にて詳述）のうち、印画紙Ｐが搬送される搬送経路ａの最上流側（以下、予熱区間）に対して温風を吹き付ける温風ノズル７３に最も近接して配置されている。また、熱源部７０は、例えば、シーズヒータによって周囲の空気を加熱して暖める。そして、熱源部７０から熱を供給された空気は、送風ファン７２ａ（後段にて詳述）によって温風として送風ダクト７２（後段にて詳述）側へ送り出される。
【００３０】
これにより、予熱区間に対して温風を吹き付ける温風ノズル７３から離れた位置に熱源部７０が配置されている場合と比較して、熱源部７０から温風ノズル７３までの距離が短いため、熱源部７０から熱を供給された温風の温度が低下しないうちに予熱区間を搬送される印画紙Ｐに対して温風を吹き付けることができる。そのため、印画紙Ｐに対して吹き付けられる温風の温度を印画紙Ｐの乾燥処理に適した温度に正確に調節することができる。
【００３１】
送風ダクト７２は、図３に示すように、複数の送風ファン７２ａを含んでおり、乾燥部６０の側面部であって搬送経路ａに面するように配置されており、熱源部７０から熱を供給された温風を各温風ノズル７３へ誘導する。
送風ファン７２ａは、図３に示すように、送風ダクト７２の下部であって送風ダクト７２の内部に設置された熱源部７０と近接して対向するように配置されており、熱源部７０から熱を供給された空気を熱源部７０から熱源部７０の外側を覆っている送風ダクト７２側へ温風として送り込む。
【００３２】
温風ノズル７３は、図３に示すように、送風ダクト７２の搬送経路ａに面する側の側面部に搬送経路ａに対向するように複数配置されており、搬送経路ａにそって垂直上方の上流側へ搬送される印画紙Ｐに対して温風を吹き付けて乾燥処理を行なう。
サーミスタ７１は、図３に示すように、予熱区間と温風ノズル７３との間であって、予熱区間に配置された圧接搬送ローラ対６１の直上流側の搬送経路ａに対して近接配置されている。そして、サーミスタ７１は、予熱区間に対して温風ノズル７３から吹き付けられる温風の温度を検知する。
【００３３】
これにより、予熱区間において、印画紙Ｐを搬送する圧接搬送ローラ対６１の直上流側に吹き付けられる温風の温度をサーミスタ７１によって検知することができる。
また、温風ノズル７３近傍にサーミスタ７１を配置する場合よりもサーミスタ７１を印画紙Ｐの搬送経路ａに近い位置に配置することができるため、印画紙Ｐに対して実際に吹き付けられる温風の温度を、精度良くサーミスタ７１によって検知することができる。
【００３４】
制御部８０は、図３に示すように、熱源部７０近傍に配置されており、サーミスタ７１によって検知された温風の温度に基づいて熱源部７０の温度を印画紙Ｐの乾燥処理に適した温度に制御する。
［写真プリントシステム１の特徴］
（１）
本実施形態の写真プリントシステム１に搭載された乾燥部６０では、図３に示すように、熱源部７０と、サーミスタ７１と、送風ダクト７２と、搬送機構（圧接搬送ローラ対６１、ターンローラ対６２、搬出ローラ対６４）と、温風ノズル７３と、を有している。そして、サーミスタ７１は、印画紙Ｐを搬送する搬送経路ａの最上流側において、印画紙Ｐを搬送する搬送経路ａと送風ダクト７２との間であって搬送経路ａに対して近接する位置に配置されている。
【００３５】
通常、このような印画紙を搬送しながら乾燥させる乾燥部では、印画紙の搬送経路の最上流側において、温風によって印画紙が加熱されてから乾燥が始まるまでの区間（予熱区間）が存在する。そして、この予熱区間において、印画紙に対して吹き付ける温風の温度を適切に調節することは、印画紙に対する乾燥処理の効率化を図る上で重要な問題であった。そのため、乾燥部の中には、温風が吹き出す温風ノズル近傍に温度検知部を配置して温風の熱供給源である熱源部の温度を制御するものがある。しかし、このような乾燥部において、温風の温度は、温風ノズルから印画紙が搬送される搬送経路上に到達するまでに冷却されてしまう。このため、実際に印画紙Ｐによって吹き付けられる温風の温度は、温風ノズル近傍に配置された温度検知部によって検知される温風の温度よりも低くなり、乾燥処理の効率化を図る上で問題であった。
【００３６】
そこで、本実施形態の乾燥部６０では、サーミスタ７１は、予熱区間において搬送経路ａと温風ノズル７３との間であって搬送経路ａに近接する位置に配置されている。
これにより、温風ノズル７３近傍にサーミスタ７１を配置する場合よりもサーミスタ７１を印画紙Ｐの搬送経路ａに近い位置に配置することができる。
このため、温風ノズル７３近傍にサーミスタ７１を配置する場合よりも、印画紙Ｐに対して実際に吹き付けられる温風の温度を、精度良く検知して乾燥処理に適した温度に制御することができる。
【００３７】
この結果、乾燥部６０において、印画紙Ｐに対する乾燥処理の効率化を図ることができる。
（２）
本実施形態の写真プリントシステム１に搭載された乾燥部６０では、搬送機構（圧接搬送ローラ対６１、ターンローラ対６２、搬出ローラ対６４）は、図４に示すように、複数の搬送ローラ（駆動ローラ６１ａ、当接ローラ６１ｂ、駆動ローラ６２ａ、従動ローラ６２ｂ、駆動ローラ６４ａ、従動ローラ６４ｂ）を有している。そして、サーミスタ７１は、搬送経路ａの最上流側（予熱区間）に設置された駆動ローラ６１ａと当接ローラ６１ｂとの直上流側に配置されている。
【００３８】
これにより、予熱区間において、印画紙Ｐを搬送する圧接搬送ローラ対６１の直上流側に吹き付けられる温風の温度をサーミスタ７１によって検知することができる。
（３）
本実施形態の写真プリントシステム１に搭載された乾燥部６０では、図３に示すように、複数の温風ノズル７３を有している。そして、熱源部７０は、複数の温風ノズル７３のうち、予熱区間において搬送される印画紙Ｐに対して温風を吹き付ける温風ノズル７３（以下、予熱区間の温風ノズル７３）に最も近くなるように配置されている。
【００３９】
これにより、予熱区間の温風ノズル７３から離れた位置に熱源部７０が配置されている場合と比較して、熱源部７０から予熱区間の温風ノズル７３までの距離が短いため、熱源部７０から熱を供給された温風の温度が低下しないうちに予熱区間を搬送される印画紙Ｐに対して温風を吹き付けることができる。そのため、印画紙Ｐに対して吹き付けられる温風の温度を印画紙Ｐの乾燥処理に適した温度に正確に調節することができる。
【００４０】
この結果、乾燥部６０において、印画紙Ｐに対する乾燥処理の効率化を図ることができる。
［他の実施形態］
以上、本発明の一実施形態について説明したが、本発明は上記実施形態に限定されるものではなく、発明の要旨を逸脱しない範囲で種々の変更が可能である。
【００４１】
（Ａ）
上記実施形態では、サーミスタ７１は、図３に示すように、予熱区間と温風ノズル７３との間であって、予熱区間に配置された圧接搬送ローラ対６１の直上流側の搬送経路ａに対して近接配置されている例を挙げて説明した。しかし、本発明はこれに限定されるものではない。
【００４２】
例えば、サーミスタ７１は、搬送経路ａの最上流側において、予熱区間と温風ノズル７３との間であって搬送経路ａに対して近接配置されている場合には、圧接搬送ローラ対６１から離れた位置に配置してもよい。
この場合にも、上記実施形態に係る乾燥部６０と同様の効果を得ることができる。
（Ｂ）
上記実施形態では、図３に示すように、乾燥部６０において、温風ノズル７３は、搬送経路ａの外側であって搬送経路ａに対向する位置に複数配置されており、搬送経路ａにおいて搬送される印画紙Ｐに対して外側から内側に向かう方向に温風を吹き付けて乾燥処理を行なう例を挙げて説明した。しかし、本発明はこれに限定されるものではない。
【００４３】
例えば、乾燥部６０において、温風ノズル７３を、搬送経路ａの外側と内側とにそれぞれ搬送経路ａに対向するように配置して、温風ノズル７３によって搬送経路ａの外側と内側とから温風を印画紙Ｐに対して吹き付けてもよい。
この場合にも、上記実施形態に係る乾燥部６０と同様の効果を得ることができる。
（Ｃ）
上記実施形態では、熱源部７０は、図３に示すように、乾燥部６０の下部側面部において送風ダクト７２の内部に設置されており、複数の温風ノズル７３のうち、印画紙Ｐが搬送される予熱区間に対して温風を吹き付ける温風ノズル７３に最も近接して配置されている例を挙げて説明した。しかし、本発明はこれに限定されるものではない。
【００４４】
例えば、熱源部７０は、乾燥部６０の内部であれば、送風ダクト７２の外側に設けても
よい。
この場合には、熱源部７０に対するメンテナンス作業の際に送風ダクト７２を取り外すといった作業が不要となるため作業性を向上させることができる。
（Ｄ）
上記実施形態では、制御部８０は、図３に示すように、熱源部７０近傍に配置されている例を挙げて説明した。しかし、本発明はこれに限定されるものではない。
【００４５】
例えば、制御部８０は、写真プリントシステム１において乾燥部６０以外の設置可能な場所に配置してもよい。
この場合には、熱源部７０から離れた位置に制御部８０を配置することができるので、熱源部７０において発生する熱の影響によって制御部８０に不具合が発生するリスクを回避できる。
【００４６】
（Ｅ）
上記実施形態では、送風ファン７２ａは、図３に示すように、送風ダクト７２の下部であって送風ダクト７２の内部に設置された熱源部７０と近接して対向するように配置されている例を挙げて説明した。しかし、本発明はこれに限定されるものではない。
例えば、送風ファン７２ａを、送風ダクト７２において、各温風ノズル７３に近接して対向するように配置してもよい。
【００４７】
この場合には、各温風ノズル７３から吹き出す温風の流量を各温風ノズル７３毎に調整することができるので、印画紙Ｐの種類や、乾燥部６０における印画紙Ｐの搬送速度等に応じてより効率的な乾燥処理を行なうことができる。
（Ｆ）
上記実施形態では、温度検知部は、サーミスタ７１である例を挙げて説明した。しかし、本発明はこれに限定されるものではない。
【００４８】
例えば、サーミスタ７１の代わりに熱電対を用いてもよい。
この場合にも、上記実施形態に係る乾燥部６０と同様の効果を得ることができる。
（Ｇ）
上記実施形態では、搬送機構は、複数の搬送ローラ対（圧接搬送ローラ対６１、ターンローラ対６２、搬出ローラ対６４）によって形成されている例を挙げて説明した。しかし、本発明はこれに限定されるものではない。
【００４９】
例えば、搬送ローラ対の代わりに、搬送ローラとガイドとを組み合わせて搬送機構を形成してもよい。
この場合にも、上記実施形態に係る乾燥部６０と同様の効果を得ることができる。
【産業上の利用可能性】
【００５０】
本発明の乾燥装置は、感光材料に対する乾燥処理の効率化を図ることができるという効果を奏することから、写真処理装置等に搭載された乾燥装置に対して広く適用可能である。
【図面の簡単な説明】
【００５１】
【図１】本発明の一実施形態に係る写真プリントシステムの外観図。
【図２】図１の写真プリントシステムの内部構成を示す断面図。
【図３】図１の写真プリントシステムに搭載された乾燥部内の構成を示す拡大図。
【図４】図３に示す乾燥部における印画紙の搬送経路付近の構成を示す拡大図。
【符号の説明】
【００５２】
１      写真プリントシステム
２０      操作部
２１      モニタ
２２      キーボード
２３      マウス
３０      コンピュータユニット
３１      メディアリーダ
４０      フィルムスキャナ
５０      プリント部
５１      印画紙マガジン
５２      シートカッター
５３      バックプリント部
５４      プリント露光部
５５      処理槽ユニット
５５ａ    発色現像槽
５５ｂ    漂白定着槽
５５ｃ    安定処理槽
５６      コンベア
５７      圧接搬送ローラ対
５８      チャッカー式搬送ユニット
６０      乾燥部（乾燥装置）
６１      圧接搬送ローラ対（搬送機構）
６１ａ    駆動ローラ（搬送ローラ）
６１ｂ    当接ローラ（搬送ローラ）
６２      ターンローラ対（搬送機構）
６２ａ    駆動ローラ（搬送ローラ）
６２ｂ    従動ローラ（搬送ローラ）
６３      搬送ガイド
６４      搬出ローラ対（搬送機構）
６４ａ    駆動ローラ（搬送ローラ）
６４ｂ    従動ローラ（搬送ローラ）
６５      搬出口
７０      熱源部
７１      サーミスタ（温度検知部）
７２      送風ダクト（送風部）
７２ａ    送風ファン
７３      温風ノズル（吹き出し部）
８０      制御部
Ｐ        印画紙（感光材料）
Ｆ        写真フィルム
【図１】
2007206514.tif 000003
【図２】
2007206514.tif 000004
【図３】
2007206514.tif 000005
【図４】
2007206514.tif 000006